(57)【要約】  【課題】本発明は動物の糞を片手で処理できその連続行為で取り付けてあるビニール袋に簡単に処理することができ、滑り防止の付いているつまみ柄を前後に移動できるようにしその移動範囲を糞受け入れ口の上方から、前記受け入れ口下方よりつまみ先部が伸びるように設けることと、糞を取り入れるビニール袋の大きさに合わせてクリップ移動器具を設けたことを特徴とする。  【解決手段】滑り防止（３）の付いているつまみ柄（１）を前後に移動する移動機構（４）により、動物の糞を片手ではさみ上げ、ビニール袋に連続行為で納めることと、ビニール袋受け入れ口取付器具の糞汚れ防止曲げ部（１２）を設けて、動物の糞を直接受け取ることができることを特徴とし、また市販のビニール袋を利用し、その大きさに合わせた調整を可能にする移動機構を設け、糞の収納を簡単にしたことを特徴とする。  【選択図】          図１
2005058165.tif 000002
【特許請求の範囲】
【請求項１】
にぎり柄と、このにぎり柄の下端に設けられてビニール袋の口を取り付ける枠と、前記にぎり柄の途中に後端が設けられて先端が前記枠の下辺を超えるつまみ柄と、前記つまみ柄の後端を前記にぎり柄の長手方向へ移動可能にする移動機構と、前記つまみ柄の後端に設けられた前記つまみ柄の先端を開閉可能にする開閉機構と、この開閉機構に設けられた前記つまみ柄を開方向へ付勢するバネと、を有することを特徴とする動物の糞を掃除する道具
【請求項２】
にぎり柄と、このにぎり柄の下端に設けられたビニール袋の後端をはさみ込む袋用クリップと前記にぎり柄の途中に後端が設けられて先端が前記袋用クリップを有する器具が前記にぎり柄の長手方向へ移動可能にする移動機構と前記ビニール袋に取り込む重量に耐え得る強度のバネとを有することを特徴とする請求項１記載の動物の糞を掃除する道具。
【発明の詳細な説明】
【技術分野】
【０００１】
本発明は動物の糞を片手で処理できその連続行為で取り付けてあるビニール袋に簡単に衛生的に処理することができ、プラスチック又はアルミ又はステンレスからなる清掃道具に関するものである。
【背景技術】
【０００２】
従来は動物・ペットの糞の処理は散歩中であれば、動物のロープを片手で持ちもう片方で小スコップを用いてすくい上げ、又はちり紙等で直接つかみ揚げて、ロープを掴んでいる手のビニール袋に入れるか、土を掘って糞を埋めてしまう方法があります。この方法では動物が動いて処理しにくい場合がありますし、すくい上げた糞をなかなかビニール袋に入れにくかったりし、糞が手に触ったりすることがあり、又ちり紙が破れてしまったりと、不愉快な思いをすることが度々あります。又雨の日は動物のロープ、小スコップ、ビニール袋に加えて雨傘を持つことになるので、もっと大変な思いをすることになります。従って周囲に人がいない場合とか、夜間になると糞の処理をしないで放置する状況が見受けられ環境衛生上、不潔であり、子供の教育上、芳しくないと考えられます。
【０００３】
近年このようなペットの糞を処理する道具又は器具としての発明がありますが、どの発明も一長一短あり、残念ながら市場に反映されていないようです。
【特許文献１】特開２００３−２３９０３
【特許文献２】特開２００１−２１１７７５
【発明の開示】
【発明が解決しようとする課題】
【０００４】
そこでこの発明は、以上の欠点を解決し、形状が大きくならず、持ち歩きしやすく、動物の糞を直接受け取ることができて、地面に落ちた糞も挟み上げて処理ができ、衛生的に、又一連の動作による処理をする為の動物の糞取り道具を提供することを課題とする。
【課題を解決するための手段】
【０００５】
以上の課題を解決するために、請求項１の発明は滑り防止（３）の付いているつまみ柄（１）を前後に操作して、動物の糞を片手ではさみ上げ、ビニール袋に連続行為で納めることと、ビニール袋受け入れ口取付器具の糞汚れ防止曲げ部（１２）を設けて、動物の糞を直接受け取ることができ動物を刺激しないことを特徴とする動物の糞を掃除する道具である。また、請求項２の発明は市販のビニール袋を利用し、その大きさに合わせた調整（９）を可能にし、収納した糞袋を地面に擦らないようにしたことを特徴とする請求項１記載の動物の糞を掃除する道具である。
【発明の効果】
【０００６】
本発明によれば、にぎり柄を片手で持ち、地面に落ちている動物の糞の側に、ビニール袋の口を取り付ける枠を位置させ、前記片手で前記にぎり柄と前記つまみ柄をつかんで、枠の下辺とつまみ柄の先端との間で糞を挟み、前記片手の親指で前記つまみ柄を押し上げることによる移動機構によってつまみ柄の先端を上方へ移動させれば、糞はビニール袋の中へ納めることが可能になる、又、動物のお尻より直接糞を受け取ることができるように糞の汚れ防止曲げ部を曲面曲げ形状にすることにより動物を刺激することなく、衛生的に不快感もなく処理ができる。又、取り込んだ糞の量によって、前記ビニール袋の交換も容易にできるので、散歩時の充足感が得られる環境上優れた清掃道具である。
【発明を実施するための最良の形態】
【０００７】
この発明の−実施形態を図１，図２，図３、図４、図５，図６に示す。
本発明に市販のビニール袋（７）を受け入れ口取付器具（１０）にセットし、ビニール袋の下方をクリップ（８）に挟み、ビニール袋全体の大きさを移動器具（９）にて調整する。この移動器具（９）の両端に移動と糞荷重に耐えるスチールバネ（１６）を設けている。この調整にてビニール袋を地面に擦らせて破損させないように持ち上げるようにしておく。この状態で本発明を持ち歩き、動物の糞を片手で処理する。動物の糞の側に曲げ加工板（１２）の部分で位置決めをし、つまみ柄（１）の滑り防止部（３）を親指で前後に移動させて、つまみ先（２）で糞をはさみ上げてつまみ柄（１）を親指で戻すようにして、既にセットしてあるビニール袋の受け入れ口に、このように連続行為で取り込む。つまみ柄（１）とつまみ柄移動器具（４）との接続部にはバネ（１７）を取り付けて、つまみ柄が常時開いてある状態にする。つまみ柄を親指で前後に移動させる時に必要以外に力がかかっても移動しやすいように移動器具（４）にはスチールバネ（１５）を設け、にぎり柄（５）側にはバネ受け部（６）を設けている。又、受け入れ口取付器具（１０）をワンタッチで固定できるようにバンド（１１）を設けている。加えて、取り入れた糞がビニール袋の中でころがり動き、受け入れ口取付器具を汚さないように下部には曲げ加工板（１３）を設け、又、ビニール袋の受け入れ口取付器具が糞によって汚れないように、両サイドに受け入れ口の内側に沿って曲げ加工板（１３）の先端からビニール袋の受け入れ口取付器具を固定するバンド（１０）側に台形の形をした加工板（１４）を設けている。実施形態の主材料はアルミ製が衛生的で良い。
【産業上の利用可能性】
【０００８】
対象となる動物の大きさに合わせてその糞も大小になるので、実施形態も大中小の３種類が考えられる。又、使用する素材はアルミ製が軽く持ち運びに便利であるが、より衛生的に清掃しやすさを考えると、ステンレス製が挙げられる。又見慣れているし、取り扱い安さと安価を考えると、リサイクルの可能なプラスチック製も良い。加えてビニール袋の大きさに合わせて調整移動をするので身近にあるビニール袋を利用することができる。
【図面の簡単な説明】
【０００９】
【図１】本発明に係る動物の糞を掃除する道具の断面図である。
【図２】本発明に係る動物の糞を掃除する道具の正面図である。
【図３】本発明に係る動物の糞を掃除する道具の裏面図である。
【図４】本発明に係る動物の糞を掃除する道具の受け入れ口裏面詳細図である。
【図５】本発明に係る動物の糞を掃除する道具のつまみ柄の調節範囲図である。
【図６】本発明に係る動物の糞を掃除する道具の移動機構部の詳細図である。
【符号の説明】
【００１０】
１  つまみ柄
２  つまみ先部
３  つまみ柄滑り防止部
４  つまみ柄移動器具
５  にぎり柄
６  ４のバネ受け部
７  市販のビニール袋
８  ７を挟むクリップ
９  クリップ移動器具
１０  ビニール袋の受け入れ口取付器具
１１  １０を固定するバンド
１２  取り込む糞の位置決めと１０の糞汚れ防止曲げ部
１３  １０の位置決めと汚れ防止
１４  両側の１０の汚れ防止
１５  つまみ柄移動器具のスチールバネ
１６  クリップ移動器具のスチールバネ
１７  １と４を接続するスチールバネ
【図１】
2005058165.tif 000003
【図２】
2005058165.tif 000004
【図３】
2005058165.tif 000005
【図４】
2005058165.tif 000006
【図５】
2005058165.tif 000007
【図６】
2005058165.tif 000008